(57)【特許請求の範囲】
【請求項１】
下シュートと上シュートとによりその上下面が形成されるシート材搬送路と、該シート材搬送路に連通するシート材挿入口と、前記上下シュートのうち少なくとも一方のシュートの側方に配設され、前記シート材搬送路の巾を多段に変化させるシート材搬送路巾可変手段とを少なくとも有するシート材案内装置において、
前記シート材搬送路巾可変手段は、
シート材搬送方向に沿って配設され、両端が前記シュートの側方に回動自在に支承された断面略コの字形状のアームと、
該アームの前記シート材搬送方向に沿った中間部に回動自在に支承され、周面に異なる巾を有する複数本の板片が、前記シート材搬送方向に沿って形成されたガイドローターとからなり、
該ガイドローターの前記複数本の板片の一つを、前記上下シュート間に配設した際に、前記板片の側方により前記シート材搬送路の側面を形成するようにしたことを特徴とするシート材案内装置。
【請求項２】
前記ガイドローターの複数本の板片は、前記シート材挿入口に向け前記シート材搬送路の巾を拡大させる傾斜面が形成されていることを特徴とする請求項（１）記載のシート材案内装置。
【請求項３】
前記上シュートは、前記シート材搬送路下流で、前記下シュートに回動自在に支承されることを特徴とする請求項（１）記載のシート材案内装置。
【発明の詳細な説明】
【０００１】
【発明の属する技術分野】
この発明は、異なった巾を有するシート材を案内するシート材案内装置に関し、特に自動販売機、両替機、またはパチンコ玉貸機やメタル貸機等のサービス機器に使用される紙幣処理装置へシート材である紙幣を案内するシート材案内装置の改良に関する。
【０００２】
【従来の技術】
一般に、自動販売機、両替機、およびパチンコ玉貸機やメタル貸機等のサービス機器には、投入されたシート材である紙幣の真偽を判別し、真券を収容するようにした紙幣処理装置が配設されており、この紙幣処理装置の一部であるシート材である紙幣を案内する装置としてシート材案内装置が使用されている。
なお、このようなシート材案内装置の適用例としては、上述した紙幣を案内するものの他に、投入されたカードをカード搬送路に沿って案内し、その間にカードに形成された各種記録領域に対し情報の記録再生を行うカード処理装置へシート材であるカードを案内するものもある。
【０００３】
一方、このようなシート材案内装置は、通常、筐体内に配設されたシート材搬送路と、シート材搬送路の巾を多段に変化させるシート材搬送路巾可変手段とから構成されている。
このシート材搬送路巾可変手段は、例えば特開平９−１６８２６号公報に記載されているように、シート材搬送路側部にシート材搬送路に沿って形成された嵌合溝と、シート材搬送路に沿って形成され前記嵌合溝に着脱自在に嵌合する嵌合部材とから構成され、異なる形状の嵌合部材を嵌合溝に装着することにより、該形状に応じてシート材搬送路の巾を変更できる。
したがって、このシート材案内装置では、シート材のシート巾に対応した形状の異なる複数個の嵌合部材を用意し、該嵌合部材のうちから搬送するシート材のシート巾に対応した一つを選択して嵌合溝に嵌合すると、シート材案内装置全体を交換することなく、シート材搬送路巾をシート材のシート巾に対応した巾に変更することができる。
【０００４】
特に、シート材案内装置が紙幣処理装置に適用される場合、即ちシート材が紙幣である場合は、シート材案内装置全体を交換することなく、札巾が異なる世界各国の紙幣に対応した紙幣搬送路巾に変更できることとなる。
【０００５】
【発明が解決しようとする課題】
ところで、上述した従来のシート材案内装置によると、シート材搬送路巾可変手段はシート材搬送路の側部に形成された嵌合溝と該嵌合溝に着脱自在に嵌合する嵌合部材とにより構成されており、シート材搬送路の巾を変更する場合は、まず、シート材のシート巾に対応した新たな形状の嵌合部材を用意し、次に、嵌合溝に装着された嵌合部材を離脱し、その後、用意した新たな嵌合部材をシート材案内装置に装着するという作業を行わねばならず、そのためシート材搬送路巾の変更作業が煩雑である難点があった。
【０００６】
この発明は、上述した事情に鑑み、簡単な操作でシート材搬送路の巾を多段変化させることのできるシート材案内装置を提供することを目的とする。
【０００７】
【課題を解決するための手段】
上述した課題を解決するため、この発明のシート材案内装置では、シート材搬送路巾可変手段を、シート材搬送方向に沿って配設され、両端が前記シュートの側方に回動自在に支承された断面略コの字形状のアームと、該アームの前記シート材搬送方向に沿った中間部に回動自在に支承され、周面に異なる巾を有する複数本の板片が、前記シート材搬送方向に沿って形成されたガイドローターとにより構成し、ガイドローターの前記複数本の板片の一つを、前記上下シュート間に配設した際に、前記板片の側方により前記シート材搬送路の側面を形成するようにしている。
【０００８】
【発明の実施の形態】
以下、この発明に係わるシート材案内装置の一実施例として、紙幣処理装置の一部に使用されるものについて詳述する。
図１は、本願発明のシート材案内装置１を示す要部破断概念斜視図である。
この発明のシート材案内装置１は、断面コの字形状の筐体３からなる下シュート２と、該下シュート２に回動自在に支承される断面矩形状の筐体９からなる上シュート８と、下シュート２と上シュート８とによりその上下面が形成される紙幣搬送路１２と、該紙幣搬送路１２の上流側に連通する紙幣挿入口１３と、上シュート８の両側方に配設され、紙幣搬送路１２の巾を多段に変化させる紙幣搬送路巾可変手段２１と、上シュート８を拡開した状態を示す図３のように、紙幣搬送路１２に配設され、紙幣の真偽の判別を行うフォトセンサ１４からなる識別手段１５と、紙幣挿入口１３から投入された紙幣を紙幣搬送路１２の下流に沿って搬送する搬送ローラ１７からなる搬送手段１６とから構成されている。
なお、このシート材案内装置１の識別手段１５により真券と判断された紙幣は図示せぬスタッカ内に収容される。
【０００９】
このうち、下シュート２は、図１に示すように上シュート８を嵌挿する嵌挿溝４が形成された略断面コの字形状の筐体３からなり、上シュート８は紙幣搬送路１２下流に形成された溝４ａの両側面に嵌挿した軸１０を介し回動自在に支承されている。
また、図３で示すように、下シュート２には嵌挿溝４上面の紙幣搬送路１２に沿って、その巾が嵌挿溝４の巾よりやや狭い断面矩形状の板材５が固着されている。この板材５は、紙幣搬送路１２の下面を形成する上面５ａと、嵌挿溝４の両側面との間に、それぞれ紙幣搬送路巾可変手段２１を収容する収容溝６を形成する両側面５ｂとから構成されている。
【００１０】
一方、紙幣搬送路巾可変手段２１は、紙幣搬送方向に沿って配設され、上シュート８の側方に回動自在に支承された断面略コの字形状の一対のアーム２２と、該一対のアーム２２の紙幣搬送方向に沿った中間部２２ｃに、回動自在に支承され、周面に異なる巾を有する４本の板片２３が、紙幣搬送方向に沿って形成されたガイドローター２７とから構成されている。
このような、紙幣搬送路巾可変手段２１によると、図１で示す初期位置では、ガイドローター２７を構成する板片２３の一つが、前記板材５の上面５ａに当接し、また、前記板材５の両側面５ｂが上面５ａと当接する前記板片２３と直角をなす他の板片２３の一つと当接する。
【００１１】
一方、上シュート８は、各アーム２２の一端２２ａを両側方で支承する正面８ａと、各アーム２２の他端２２ｂを支承する切り欠き８ｂがそれぞれ紙幣搬送路１２下流に形成された両側面８ｃと有する断面矩形状の筐体９により構成され、この上シュート８の両側面８ｃは、図１の初期位置で下シュート２の嵌挿溝４内に嵌挿する。
なお、上シュート８は、下シュート２との間に介在された図示せぬラッチ手段により、図１の初期位置では所定の間隔を隔てて位置決め支承され、それにより紙幣搬送路１２の上面が上シュート８を構成する筐体９の下面９ａにより構成される。また上シュート８と下シュート２との間には、上シュート８を軸１０を介し所定角度回転した際に、その状態を維持する図示せぬ位置決め手段が介在されている。
【００１２】
次に、上シュート８の左右両側方にそれぞれ配設され紙幣搬送路巾可変手段２１の構造を詳細に説明するが、この紙幣搬送路巾可変手段２１は同一構造なので、上シュート８の右側方に配設されている一方の紙幣搬送路巾可変手段２１を代表して説明する。
紙幣搬送路巾可変手段２１は、前述したように、紙幣搬送方向に沿って配設され、上シュート８の右側方に回動自在に支承された断面略コの字形状の一対のアーム２２と、該一対のアーム２２の紙幣搬送方向に沿った中間部２２ｃに、回動自在に支承され、周面に異なる巾を有する４本の板片２３が、紙幣搬送方向に沿って形成されたガイドローター２７とから構成されている。
【００１３】
このうち、アーム２２は、上シュート８の正面８ａの右側方で支承される一端２２ａと、上シュート８の左側方の切り欠き８ｂで支承される他端２２ｂと、紙幣搬送方向に沿って形成され、ガイドローター２７を回動自在に支承する中間部２２ｃとから構成されている。
また、ガイドローター２７は、４本の板片２３が一体形成されており、各板片２３は互いに等角度、すなわち９０度をなし、各板片２３の厚さは等しく形成されている。
さらに、この４本の板片２３は、その巾が、それぞれ紙幣挿入口１３に向け小さくなるように、傾斜面２３ａが形成されている。
【００１４】
このシート材搬送路巾可変手段２１は、図２で示す初期位置では、ガイドローター２７の４本の板片２３の一つが、上下シュート８、２に当接するように収容溝６内に配設されている。また、このとき、上下シュート８、２間に位置する板片２３の側方２３ｂにより、紙幣搬送路１２の側面がそれぞれ形成される。
なお、このとき、上下シュート２に当接する板片２３の厚さが紙幣搬送路１２の高さとなる。
【００１５】
また、図３で示す搬送手段１６は、下シュート２に回動自在に支承され、周面の一部を紙幣搬送路１２に露出する搬送ローラ１７と、紙幣が紙幣挿入口１３から挿入されたか否かを検出する図示せぬ挿入センサと、該挿入センサの検出に基づき搬送ローラ１７を駆動する図示せぬ駆動モータと、上シュート８に回動自在に支承され、周面の一部を紙幣搬送路１２に露出するアイドルローラ１８とから構成され、このアイドルローラ１８は、搬送ローラ１７の回動と反対方向に回動する従動ローラとして機能する。
【００１６】
このようなシート材案内装置１によると、紙幣が紙幣挿入口１３から挿入され、それが図示せぬ挿入センサにより検出されると、搬送手段１６の図示せぬ駆動モータが駆動し、搬送ローラ１７が時計方向に回転駆動する。
この搬送ローラ９の回転駆動により、挿入紙幣は搬送手段１６の搬送ローラ１７とアイドルローラ１８とに挟持され、紙幣搬送路１２に沿って下流に搬送される。その後、図示せぬ識別手段１５により紙幣の真偽が判別され、偽券と判断された場合は、図示せぬ駆動モータを逆駆動して搬送ローラ１７を逆回転し、当該偽券と判断された挿入紙幣を紙幣挿入口１３から返却する。
また、挿入紙幣が紙幣識別手段１５により真券と判断された場合は、その検出信号に基づき搬送ローラ１７は時計方向の回転を維持するので、紙幣は、さらに紙幣搬送路１２下流に搬送され図示せぬスタッカ内に収容される。
【００１７】
このシート材案内装置１では、紙幣搬送路巾可変手段２１のガイドローター２７を構成する４本の板片２３は、その巾がそれぞれ紙幣挿入口１３に向け小さくなるように、傾斜面２３ａが形成されているから、初期位置を示す図１のように紙幣材搬送路１２の巾は紙幣挿入口１３に向け広くなり、紙幣挿入口１３から投入された紙幣を容易に紙幣搬送路１２に案内することができる。
【００１８】
また、このシート材案内装置１では、紙幣搬送路巾可変手段２１のガイドローター２７を、互いに９０度をなす４本の板片２３で一体形成したから、図１で示す初期位置において、板材５はその上面５ａでガイドローター２７の板片２３の一つに当接するとともに、両側面５ｂで、それぞれ該板片２３と直角をなす他の板片２３の一つに当接することができ、さらには板片２３は、上下シュート８、２間に配設した際に、上下シュート８、２に当接して挟持されるから、図１で示す初期位置において、上下シュート８、２間に配設された板片２３がアーム２２の中間部２２ｃを中心として回動したり、あるいは紙幣搬送路巾方向に移動するすることを防ぐことができる。
したがって、紙幣搬送路１２の巾は可及的に一定に維持され、紙幣を安定搬送することができる。
【００１９】
次に、上述した紙幣搬送路巾可変手段２１による紙幣搬送路１２の巾を変更させる動作について説明する。
図２乃至図５は、紙幣搬送路巾可変手段２１の動作を示すシート材案内装置１の概念正面図で、図１と同一部分を同一符号で示している。
上述したシート材案内装置１の紙幣搬送路巾可変手段２１によると、紙幣搬送路巾を変更しようとする場合には、図示せぬラッチ手段を解除するとともに、図２の矢印Ａのように、上シュート８を図１で示す軸１０を中心に回転して上方に引上げ、図３で示すように、紙幣挿入口１３を開口する。このとき、上シュート８の側方および下方に紙幣搬送路巾可変手段２１の開放スペースが形成されるから、このスペースを利用して、紙幣搬送路１２の巾を変更するように紙幣搬送路巾可変手段２１を動作させることが可能となる。
【００２０】
すなわち、板片２３を支承するアーム２２全体を、アーム２２の一端２２ａおよび図１で示す他端２２ｂを中心に、図３の矢印Ｂのように、上シュート８の外側に向け回転させる。
次に、図４の矢印Ｃで示すように、板片２３が停止している位置に、巾の異なる別の板片２３の一つが達するまで、アーム２２の中間部２２ｃを中心に４本の板片２３を回動させる。
そして、巾の異なる別の板片２３の一つが前記位置に達した後、アーム２２の中間部２２ｃが紙幣搬送路１２に対し水平になるまで、板片２３を支承するアーム２２全体を、アーム２２の一端２２ａおよび図１で示す他端２２ｂを中心に、上シュート８の内側に向け回転させる。
その後、上シュート８を、軸１０を中心に回転して下方に移動させ、図示せぬラッチ手段を嵌合させると、図５で示すように、紙幣搬送路巾を変更することができる。
なお、上シュート８の下方に形成されたスペースを利用して、図３で示す搬送手段１６の交換や識別手段１５の清掃を行うことも可能である。
【００２１】
このように、この発明の紙幣処理装置１では、紙幣搬送路巾可変手段２１を、紙幣搬送方向に沿って配設され、その両端２２ａ、２２ｂが上シュート８の側方に回動自在に支承された断面略コの字形状のアーム２２と、該アーム２２の紙幣搬送方向に沿った中間部２２ｃに回動自在に支承され、周面に異なる巾を有する４本の板片２３が、紙幣搬送方向に沿って形成されたガイドローター２７とから構成し、該ガイドローター２７の複数本の板片２３の一つを、上下シュート８、２間に配設した際に、板片２３の側方２３ｂにより紙幣搬送路１２の側面を形成するようにしたから、シート材案内装置１の紙幣搬送路巾を変更する場合に、従来のように搬送する紙幣の札巾に対応した形状の嵌合部材を用意し、それを嵌挿させる等の煩雑な作業を行うことなく、簡単な操作でシート材案内装置１のシート材搬送路巾を変更することができる。
【００２２】
さらに、この紙幣処理装置１では、紙幣搬送路巾可変手段２１を上シュート８の右側方および左側方にそれぞれ配設するとともに、紙幣搬送路巾可変手段２１をそれぞれ４本の板片２３からなるガイドローター２７により構成したから、この上下シュート８、２間に配設される左右の板片２３を、各ガイドローター２７を構成する４本の板片２３の中からそれぞれ選択することができ、これにより紙幣搬送路の巾を数種類に変更することが可能である。
【００２３】
したがって、紙幣の札巾に応じて左右の板片２３をそれぞれ選択し、これを上シュート８と下シュート２との間に配設すれば、紙幣の札巾に応じた紙幣搬送路巾を有する紙幣搬送路１２を配設することができる。
すなわち、このシート材案内装置１によれば、装置内部に配設された部材のみを用いて、札巾が異なる世界各国の紙幣に対応した紙幣搬送路巾に簡単に変更することができる。
【００２４】
また、この実施例のシート材案内装置１では、上シュート８を軸１０を介し下シュート２に対し回動自在に支承させるとともに、上シュート８を軸１０を介し下シュート２に対し所定角度回転した際に、その状態を維持する図示せぬ位置決め手段を配設するようにしたから、上シュート８の側方および下方に形成される紙幣搬送路巾可変手段２１の開放スペースを容易に維持することができ、アーム２２や板片２３の回転動作をより簡単に行うことができる。
【００２５】
なお、この実施例のシート材案内装置１では、上シュート８の両側方に、紙幣搬送路１２の巾を多段に変化させる紙幣搬送路巾可変手段２１を配設したが、これに限定することなく、上下シュート８、２のうち少なくとも一方のシュートの一方の側方に、紙幣搬送路巾可変手段２１を配設したシート材案内装置１であればよく、例えば紙幣の札巾に応じて、下シュート２の右側方に紙幣搬送路巾可変手段２１を一つ配設するようにしてもよい。
また、この実施例のシート材案内装置１では、同一構造の紙幣搬送路巾可変手段２１を上シュート８の右側方および左側方に配設したが、これに限定するものではなく、右側方の紙幣搬送路可変手段２１のガイドローター２７と、左側方の紙幣搬送路可変手段２１のガイドローター２７は、互いに異なる巾を有する板片２３から構成されるものであってもよい。
また、この実施例のシート材案内装置１では、紙幣搬送路巾可変手段２１を、周面に異なる巾を有する４本の板片２３から構成したが、これに限定するものではなく、周面に異なる巾を有する複数本の板片２３から構成されるものであればよく、例えば２本の板片から構成されるものであってもよい。
また、この実施例のシート材案内装置では、４本の板片２３に、それぞれ紙幣挿入口１３に向け紙幣搬送路１２の巾が拡大する傾斜面２３ａを形成したが、これに限定せず、例えば、該傾斜面２３ａを形成しない板片２３から構成されるものであってもよい。
【００２６】
【発明の効果】
以上説明したように、この発明のシート材案内装置では、シート材搬送路巾可変手段を、両端がシュートの側方に回動自在に支承された断面略コの字形状のアームと、このアームに回動自在に支承され、周面に異なる巾を有する複数本の板片が形成されたガイドローターとから構成し、このガイドローターの複数本の板片の一つを選択して上下シュート間に配設した際に、この選択された板片の側方によりシート材搬送路の側面を形成するようにしたから、ガイドローターが有する複数本の板片のうちの一つを選択するという簡単な作業でシート材搬送路巾を多段に変化させることができ、これによりこの発明のシート材案内装置を適用した自動販売機、両替機、またはパチンコ玉貸機やメタル貸機等のサービス機器では、シート材搬送路巾の変更作業を簡単にして、保守点検等の作業効率を一層向上させることができる。
【図面の簡単な説明】
【図１】図１は、この発明のシート材案内装置の要部破断概念斜視図。
【図２】図２は、シート材搬送路巾可変手段の動作を示す概念正面図。
【図３】図３は、シート材搬送路巾可変手段の動作を示す概念正面図。
【図４】図４は、シート材搬送路巾可変手段の動作を示す概念正面図。
【図５】図５は、シート材搬送路巾可変手段の動作を示す概念正面図。
【符号の説明】
１…シート材案内装置
２…下シュート
８…上シュート
１２…紙幣搬送路
１３…紙幣挿入口
２１…紙幣搬送路巾可変手段
２２…アーム
２２ｃ…中間部
２３…板片
２３ａ…傾斜面
２３ｂ…板片の側方
２７…ガイドローター
【図１】
0003579230.tif 000002
【図２】
0003579230.tif 000003
【図３】
0003579230.tif 000004
【図４】
0003579230.tif 000005
【図５】
0003579230.tif 000006